【手続補正書】
【提出日】平成29年8月30日(2017.8.30)
【手続補正１】
【補正対象書類名】明細書
【補正対象項目名】０００６
【補正方法】変更
【補正の内容】
【０００６】
上記目的を達成するため、本発明の一態様の画像処理装置は、
画像データを取得する取得手段と、
前記取得手段により取得された画像データを表示手段に表示させる表示制御手段と、
前記取得手段により取得された画像データ中の被写体の撮像状況を判定する第１の判定手段と、
前記表示制御手段により前記画像データが前記表示手段に表示された状態で、所定の指示を入力する入力手段と、
前記入力手段により入力された所定の指示の種類を判定する第２の判定手段と、
前記入力手段により前記所定の指示が入力された場合に、前記第１の判定手段による判定結果と前記第２の判定手段による判定結果とに基づいて、画像データの複数の補正の種類から前記画像データの補正の種類を選択する選択手段と、
前記取得手段により出力される画像を前記選択手段で選択された補正の種類で補正する補正手段と、
を備えたことを特徴とする。
【手続補正２】
【補正対象書類名】特許請求の範囲
【補正対象項目名】全文
【補正方法】変更
【補正の内容】
【特許請求の範囲】
【請求項１】
画像データを取得する取得手段と、
前記取得手段により取得された画像データを表示手段に表示させる表示制御手段と、
前記取得手段により取得された画像データ中の被写体の撮像状況を判定する第１の判定手段と、
前記表示制御手段により前記画像データが前記表示手段に表示された状態で、所定の指示を入力する入力手段と、
前記入力手段により入力された所定の指示の種類を判定する第２の判定手段と、
前記入力手段により前記所定の指示が入力された場合に、前記第１の判定手段による判定結果と前記第２の判定手段による判定結果とに基づいて、画像データの複数の補正の種類から前記画像データの補正の種類を選択する選択手段と、
前記取得手段により出力される画像を前記選択手段で選択された補正の種類で補正する補正手段と、
を備えたことを特徴とする画像補正装置。
【請求項２】
前記表示制御手段は、前記取得手段により逐次取得された複数の画像データに対応するライブビュー画像を表示手段に表示させ、
前記入力手段は、前記表示制御手段により前記ライブビュー画像が前記表示手段に表示された状態で、所定の指示を入力する、
ことを特徴とする請求項１に記載の画像補正装置。
【請求項３】
前記第１の判定手段は、前記被写体の撮像状況が複数の特定の撮像状況のうちの何れの撮像状況であるかを判定する、
ことを特徴とする請求項１又は２に記載の画像補正装置。
【請求項４】
前記第１の判定手段は、前記取得手段により取得された画像データ中に顔が存在するか否かを判定し、
前記選択手段は、前記画像データ中に顔が存在すると判定された場合、前記補正の種類として当該顔に対する補正を選択する、
ことを特徴とする請求項１から３の何れか１項に記載の画像補正装置。
【請求項５】
前記第１の判定手段は、前記取得手段により取得された画像データの画像全体の明るさの状況を判定し、
前記選択手段は、前記補正の種類として前記画像データの画像全体の明るさの状況に対する補正を選択する、
ことを特徴とする請求項１から４の何れか１項に記載の画像補正装置。
【請求項６】
前記第１の判定手段は、前記取得手段により取得された画像データ中の顔の存在及び当該画像全体の明るさの状況を判定し、
前記選択手段は、前記第１の判定手段の判定結果に従い、複数の補正の種類から、特定の種類を選択する、
ことを特徴とする請求項１から５の何れか１項に記載の画像補正装置。
【請求項７】
前記選択手段は、前記複数の補正の種類として、ポートレート又は風景の補正の種類から、何れかの種類を選択する、
ことを特徴とする請求項１から６の何れか１項に記載の画像補正装置。
【請求項８】
前記表示手段及び前記入力手段は、タッチパネル画面を構成し、
前記入力手段は、前記タッチパネル画面に対するユーザの接触操作により前記所定の指示を入力する、
ことを特徴とする請求項１から７の何れか１項に記載の画像補正装置。
【請求項９】
前記入力手段は、前記タッチパネル画面に対するユーザの複数種の接触操作により複数の前記所定の指示を入力する、
ことを特徴とする請求項８に記載の画像補正装置。
【請求項１０】
前記タッチパネル画面に対する接触時間の長さ、接触の強さ、及び接触距離の長さの何れかを判定する第３の判定手段を更に備え、
前記補正手段は、前記第３の判定手段による判定結果に対応する強さで、前記画像の補正を行う、
ことを特徴とする請求項８又は９に記載の画像補正装置。
【請求項１１】
前記取得手段により取得された画像データ、又は前記補正手段により補正された画像データを記憶する記憶手段を更に備える、
ことを特徴とする請求項１から１０の何れか１項に記載の画像補正装置。
【請求項１２】
被写体を連続して撮像し、画像データを出力する撮像手段を更に備え、
前記取得手段は、前記撮像手段により出力された画像データを取得する、
ことを特徴とする請求項１から１１の何れか１項に記載の画像補正装置。
【請求項１３】
画像データを取得する取得手段と、
前記取得手段により逐次取得された画像データを、入力手段と共にタッチパネル画面として構成される表示手段に表示させるように制御する表示制御手段と、
前記表示制御手段により前記表示手段に前記画像データが表示されるように制御されている場合に、前記入力手段に対するユーザからの所定の接触操作に応じて、当該画像データに鏡像変換を行う画像処理手段と、
を備えたことを特徴とする画像処理装置。
【請求項１４】
被写体を連続して撮像し、画像データを出力する撮像手段を更に備え、
前記取得手段は、前記撮像手段により出力された画像データを取得し、
前記表示制御手段は、前記取得手段により逐次取得された複数の画像データに対応するライブビュー画像を前記表示手段に表示させ、
前記画像処理手段は、前記表示制御手段により前記表示手段に前記ライブビュー画像が表示されるように制御されている場合に、前記入力手段に対するユーザからの所定の接触操作に応じて、当該画像データに鏡像変換を行う、
ことを特徴とする請求項１３に記載の画像処理装置。
【請求項１５】
画像データを記憶する記憶手段と、
画像データを取得する取得手段と、
タッチパネル画面として構成される入力手段及び表示手段と、
前記入力手段に特定の接触操作がなされたか否かを判定する判定手段と、
前記取得手段により逐次取得された複数の画像データに対応するライブビュー画像と前記記憶手段に記憶された画像とのうちの一方を前記表示手段に表示させるよう制御する表示制御手段と、
前記判定手段により前記入力手段に特定の接触操作がなされたと判定された場合に、前記表示制御手段による制御により前記表示手段に表示されている前記ライブビュー画像と、前記記憶手段に記憶された画像データのうちの一方を、前記ライブビュー画像と前記記憶手段に記憶された画像とのうちの他方に切り替える切り替え手段と、
を備えること特徴とする表示制御装置。
【請求項１６】
画像補正装置で実行される画像補正方法であって、
画像データを取得する取得ステップと、
前記取得ステップにより取得された画像データを表示手段に表示させる表示制御ステップと、
前記取得ステップにより取得された画像データ中の被写体の撮像状況を判定する第１の判定ステップと、
前記表示制御ステップにより前記画像データが前記表示手段に表示された状態で、所定の指示を入力する入力ステップと、
前記入力ステップにより入力された所定の指示の種類を判定する第２の判定ステップと、
前記入力ステップにより前記所定の指示が入力された場合に、前記第１の判定ステップによる判定結果と前記第２の判定ステップによる判定結果とに基づいて、画像データの複数の補正の種類から前記画像データの補正の種類を選択する選択ステップと、
前記取得ステップにより出力される画像を前記選択ステップで選択された補正の種類で補正する補正ステップと、
を備えたことを特徴とする画像補正方法。
【請求項１７】
画像補正装置を制御するコンピュータを、
画像データを取得する取得手段、
前記取得手段により取得された画像データを表示手段に表示させる表示制御手段、
前記取得手段により取得された画像データ中の被写体の撮像状況を判定する第１の判定手段、
前記表示制御手段により前記画像データが前記表示手段に表示された状態で、所定の指示を入力する入力手段、
前記入力手段により入力された所定の指示の種類を判定する第２の判定手段、
前記入力手段により前記所定の指示が入力された場合に、前記第１の判定手段による判定結果と前記第２の判定手段による判定結果とに基づいて、画像データの複数の補正の種類から前記画像データの補正の種類を選択する選択手段、
前記取得手段により出力される画像を前記選択手段で選択された補正の種類で補正する補正手段、
として機能させることを特徴とするプログラム。